(57)【要約】【課題】  複数の洗流か所で個別にクーラントの供給量を簡単に調節する。【解決手段】  クーラント供給装置、複数の洗流か所W1〜W3にクーラントを供給する供給装置であって、クーラントを溜めるためのタンク21と、タンク21に吸込側が接続されているポンプ22と、洗流か所W1〜W3に対応するようにポンプ22の吐出側からの流路を複数の流路に分岐するマニホールド23と、分岐流路の少なくとも１つに備えられている開閉弁51〜53と、設定時間を経過すると対応する開閉弁51〜53をＯＮ・ＯＦＦするＯＮタイマ61〜63およびＯＦＦタイマ71〜73とを備えている。【選択図】  図１
2007030109.tif 000002
【特許請求の範囲】
【請求項１】
複数の洗流か所にクーラントを供給する供給装置であって、クーラントを溜めるためのタンクと、タンクに吸込側が接続されているポンプと、洗流か所に対応するようにポンプの吐出側からの流路を複数の流路に分岐する分岐手段と、分岐流路の少なくとも１つに備えられている開閉弁と、設定時間を経過すると対応する開閉弁をＯＮ・ＯＦＦするＯＮタイマおよびＯＦＦタイマとを備えているクーラント供給装置。
【請求項２】
分岐流路の合算流量が、単位時間当たり常時一定以下となるようにＯＮタイマおよびＯＦＦタイマを制御する制御手段を備えている請求項１に記載のクーラント供給装置。
【発明の詳細な説明】
【技術分野】
【０００１】
この発明は、例えば、工作機械において、機械内に堆積した切粉を洗流するために洗流か所にクーラントを供給する供給装置に関する。
【背景技術】
【０００２】
工作機械の加工室および切粉回収トイ等に堆積する切粉を、クーラントを使用して洗流する場合、クーラントポンプから複数の吐出口に配管を分岐して、クーラントポンプのON/OFFによって複数の吐出口から同時に吐出している。そのため、各吐出口から洗流に必要な流量を確保するには、ポンプ能力を大きくするか、若しくは、ポンプを増設する必要がある。
【０００３】
逆に、限られたクーラントポンプの個数、能力の範囲で複数の洗流場所に同時に切粉洗流クーラントを吐出すると、分配された個々の吐出量は少なく、堆積した切粉を十分に洗流することができない場合がある。
【０００４】
ポンプ能力を大きくしたり、増設する場合、コストが高くなる。さらに、クーラントタンク上にポンプを増設するスペースが無い場合、タンクも新規に設計する必要がある。
【０００５】
また、堆積する切粉の量は場所により様々であり、加工の内容によっても変化するため、各吐出口に付けられた流量調整コックにより、流量を調整する必要があるが、流量調整コックは機械の内部または背面側にあることが多く、作業者が洗流の状態を確認しながら調整するには手間が掛かる。
【０００６】
一方、複数のクーラント洗流か所へ、単一の容積形液圧ポンプでクーラントを供給する場合、液圧ポンプをインバータ制御モータによって可変速駆動することによって使用量に見合ったクーラントをモータから吐出させるようにしたものが知られている（例えば、特許文献１参照。）。
【０００７】
この従来装置によれば、クーラントの全体の供給量の調節は可能であるが、個々の洗流か所で個別に供給量を調節することは不可能である。
【特許文献１】特開平７−１２７５６５号公報
【発明の開示】
【発明が解決しようとする課題】
【０００８】
この発明の目的は、複数の洗流か所で個別にクーラントの供給量を簡単に調節することのできるクーラント供給装置を提供することにある。
【課題を解決するための手段】
【０００９】
この発明によるクーラント供給装置は、複数の洗流か所にクーラントを供給する供給装置であって、クーラントを溜めるためのタンクと、タンクに吸込側が接続されているポンプと、洗流か所に対応するようにポンプの吐出側からの流路を複数の流路に分岐する分岐手段と、分岐流路の少なくとも１つに備えられている開閉弁と、設定時間を経過すると対応する開閉弁をＯＮ・ＯＦＦするＯＮタイマおよびＯＦＦタイマとを備えているものである。
【００１０】
この発明によるクーラント供給装置では、ＯＮタイマおよびＯＦＦタイマの設定時間を設定するだけの簡単な操作によって、切粉が堆積し易い洗流か所には常時若しくは長い時間クーラントを供給し、堆積量が少ない洗流か所では短い時間供給するようにすることにより、能力の小さいポンプで効率良く切粉を洗流することができる。また、切粉洗流用ポンプを複数使用している場合、ポンプの個数を減らすことも可能である。とくに、タンク上のポンプ設置面積が限られている場合、有効である。作業者が切粉の洗流状況を確認しながら操作盤上でタイマの設定を行えるから、作業効率が向上する。
【００１１】
さらに、クーラント供給装置に、分岐流路の合算流量が、単位時間当たり常時一定以下となるようにＯＮタイマおよびＯＦＦタイマを制御する制御手段が備わっていると、ポンプを一定の回転数で運転することができ、モータの複雑な制御を必要としない。
【発明の効果】
【００１２】
この発明によれば、複数の洗流か所で個別にクーラントの供給量を簡単に調節することができる。
【発明を実施するための最良の形態】
【００１３】
この発明の実施の形態を図面を参照しながらつぎに説明する。
【００１４】
図１を参照すると、工作機械本体11と、これに併設されているクーラント供給装置12とが示されている。
【００１５】
工作機械本体11には第１〜第３洗流か所W1〜W3が設けられている。第１洗流か所W1は、例えば、切粉回収トイである。切粉回収トイは、クーラントが常時供給されるべきか所である。第２洗流か所W2および第３洗流か所W3は、工作機械の構造や加工する工作物の形状などに応じて適宜設定されるべき場所であり、ここでは第２洗流か所W2は常時吐出する必要はないものの一定時間の適正な流量を要するか所、第３洗流か所W3は、部分的に短時間の吐出で洗流可能なか所とする。
【００１６】
クーラント供給装置12は、クーラントを溜めているタンク21と、タンク21上に装備されているポンプ22と、ポンプ22から吐出させられるクーラントを３つの流路に分岐するためのマニホールドブロック23とを備えている。
【００１７】
ポンプ22は、吸込口22aおよび吐出口22bを有している。吸込口22aにはタンク21内を垂直にのびている吸上パイプ31の上端が接続されている。吐出口22bには吐出パイプ32の入口端が接続されている。
【００１８】
マニホールドブロック23は、１つの入口23aと、これに、入口には図示しない３つの分岐通路を介してそれぞれ接続されている３つの第１〜第３出口23b1〜23b3を有している。入口23aには吐出パイプ32の出口端が接続されている。第１〜第３出口23b1〜23b3からは、第１〜第３分岐パイプ41〜43が第１〜第３洗流か所W1〜W3に向かってのびている。第１〜第３分岐パイプ41〜43には、第１〜第３出口23b1〜23b3に近接して、第１〜第３電磁弁51〜53が備えられている。
【００１９】
第１〜第３電磁弁51〜53には第１〜第３ＯＮタイマ61〜63および第１〜第３ＯＦＦタイマ71〜73が接続されている。第１〜第３ＯＮタイマ61〜63および第１〜第３ＯＦＦタイマ71〜73は、制御装置81によって制御される。制御装置81によってタイムアップの時間が設定される。設定時間が経過すると、第１〜第３ＯＮタイマ61〜63は対応する電磁弁51〜53をＯＮにし、第１〜第３ＯＦＦタイマ71〜73は対応する電磁弁51〜53をＯＦＦにする。
【００２０】
ここで、電磁弁51〜53をＯＮ・ＯＦＦさせることにより、各洗流か所W1〜W3へのクーラント供給動作のパターンを一例として、説明する。
【００２１】
１つのワークの加工時間を１８０秒とし、これをサイクルタイムとして、繰り返し加工作業を行うものと想定する。
【００２２】
図２に示すように、各タイマのタイムアップ時間を設定する。第１ＯＮタイマ61には０秒、第１ＯＦＦタイマ71には１８０秒、第２ＯＮタイマ62には２０秒、第２ＯＦＦタイマ72には１６０秒、第３ＯＮタイマ63には１６０秒、第３ＯＦＦタイマ73には２０秒をそれぞれ設定する。このように設定すると、第１電磁弁51は１８０秒経過すると、ＯＦＦとなるが、直ちに、ＯＮとなることにより、第１出口23b1からは常時クーラントが流出させられる。第２電磁弁52は１６０秒経過後にＯＦＦとなり、その後、２０秒経過すると、再び、ＯＮとなる。第３電磁弁53は、１６０秒経過後にＯＮとなり、その後、２０秒経過すると、再び、ＯＦＦとなる。
【００２３】
３つの出口23b1〜23b3のうち、選択された２つの出口23b1、23b2または23b3からクーラントが常時流出させられることになる。そのため、ポンプ22から吐出させられるクーラントの量は、常に一定のままである。
【００２４】
ここで、各タイマ61〜63、71〜73の動作は、切粉洗流ＯＮのＭコードを加工プログラム上に記述しておくことにより、加工時には随時加工プログラムが読み込まれ、切粉洗流ＯＮのＭコードが読み込まれると各タイマ61〜63、71〜73が各々独立して動作するようにすることができる。
【００２５】
なお、本実施形態では、ポンプ22を１個とし、洗流か所をW1〜W3の３か所として説明しているが、実施においては、洗流か所を２か所以下或いは４か所以上として各々に電磁弁およびタイマを設けたり、必要に応じてポンプの数を多くさせても良い。
【００２６】
また、本実施形態では、第２洗流か所W2および第３洗流か所W3のＯＮ・ＯＦＦが逆になっていることにより流量の和を一定としているが、より多くの洗流か所を有する場合などでは、全体の流量が一定または一定以下であれば、例えば第２洗流か所W2と第３洗流か所W3が同時に吐出することも可能である。
【図面の簡単な説明】
【００２７】
【図１】この発明によるクーラント供給装置の構成を示すブロック数である。
【図２】同装置によりクーラント供給動作を行うためのパラメータの設定を示す表である。
【図３】同装置によるクーラント供給動作の説明図である。
【符号の説明】
【００２８】
21  タンク
22  ポンプ
23  マニホールド
51〜53  電磁弁
61〜63  ＯＮタイマ
71〜73  ＯＦＦタイマ
W1〜W3  洗流か所
【図１】
2007030109.tif 000003
【図２】
2007030109.tif 000004
【図３】
2007030109.tif 000005